【手続補正書】
【提出日】平成20年6月27日(2008.6.27)
【手続補正１】
【補正対象書類名】明細書
【補正対象項目名】特許請求の範囲
【補正方法】変更
【補正の内容】
【特許請求の範囲】
【請求項１】  （Ｉ）二種の異なる立体障害性アミン化合物、ならびに（ＩＩ）亜鉛の有機塩、亜鉛の無機塩、酸化亜鉛、水酸化亜鉛、マグネシウムの有機塩、マグネシウムの無機塩、酸化マグネシウムおよび水酸化マグネシウムからなる群から選択される化合物の少なくとも一種を含む安定剤混合物であるが、但し、成分（Ｉ）は次式（Ｂ−８−ａ）および（Ｂ−８−ｂ）
【化１】
2002097467.tif 000001
（式中、ｎ2およびｎ2*は２ないし５０の数である。）で表される化合物の組み合わせと
は異なり、そして成分（Ｉ）が次式（Ｂ−１−ａ−１）
【化２】
2002097467.tif 000002
（式中、ｂ1は２ないし５０の数である。）および次式（Ｂ−７−ａ）
【化３】
2002097467.tif 000003
（式中、ｎ1は２ないし５０の数である。）で表される化合物の組み合わせであり、そし
て同時に成分（ＩＩ）がカルボン酸亜鉛である場合、更なる成分として（Ｘ−１）顔料、または（Ｘ−２）紫外線吸収剤、または（Ｘ−３）顔料および紫外線吸収剤を付加的に含む安定剤混合物。
【請求項２】  成分（Ｉ）の二種の異なる立体障害性アミン化合物が、（α−１）次式（Ａ−１）
【化４】
2002097467.tif 000004
〔式中、Ｅ1は水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の、またはフェニル基上で炭素原子数１ないし４のアルキル基１、２もしくは３個により置換された炭素原子数７ないし９のフェニルアルキル基；あるいは炭素原子数１ないし８のアシル基を表わし、ｍ1は１、２
または４であり、ｍ1が１である場合、Ｅ2は炭素原子数１ないし２５のアルキル基を表わし、ｍ1が２である場合、Ｅ2は炭素原子数１ないし１４のアルキレン基または次式（ａ−１）
【化５】
2002097467.tif 000005
（式中、Ｅ3は炭素原子数１ないし１０のアルキル基または炭素原子数２ないし１０のア
ルケニル基を表わし、Ｅ4は炭素原子数１ないし１０のアルキレン基を表わし、そしてＥ5およびＥ6は互いに独立して炭素原子数１ないし４のアルキル基、シクロヘキシル基また
はメチルシクロヘキシル基を表わす。）で表わされる基を表わし、そしてｍ1が４である
場合、Ｅ2は炭素原子数４ないし１０のアルカンテトライル基を表わす。〕で表わされる
化合物、（α−２）次式（Ａ−２）
【化６】
2002097467.tif 000006
〔式中、基Ｅ7の２個は−ＣＯＯ−（炭素原子数１ないし２０のアルキル）基を表わし、
そして基Ｅ7の２個は次式（ａ−ＩＩ）
【化７】
2002097467.tif 000007
（式中、Ｅ8はＥ1の意味の一つを有する。）で表わされる基を表わす。〕で表わされる化合物、（α−３）次式（Ａ−３）
【化８】
2002097467.tif 000008
〔式中、Ｅ9およびＥ10は一緒になって炭素原子数２ないし１４のアルキレン基を形成し
、Ｅ11は水素原子または基−Ｚ1−ＣＯＯ−Ｚ2（式中、Ｚ1は炭素原子数２ないし１４の
アルキレン基を表し、そしてＺ2は炭素原子数１ないし２４のアルキル基を表わす。）を
表わし、そしてＥ12はＥ1の意味の一つを有する。〕で表わされる化合物、（α−４）次
式（Ａ−４）
【化９】
2002097467.tif 000009
（式中、基Ｅ13は互いに独立してＥ1の意味の一つを有し、基Ｅ14は互いに独立して水素
原子または炭素原子数１ないし１２のアルキル基を表わし、そして基Ｅ15は炭素原子数１ないし１０のアルキレン基または炭素原子数３ないし１０のアルキリデン基を表わす。）
で表わされる化合物、（α−５）次式（Ａ−５）
【化１０】
2002097467.tif 000010
（式中、基Ｅ16は互いに独立してＥ1の意味の一つを有する。）で表わされる化合物、（
α−６）次式（Ａ−６）
【化１１】
2002097467.tif 000011
（式中、Ｅ17は炭素原子数１ないし２４のアルキル基を表わし、そしてＥ18はＥ1の意味
の一つを有する。）で表わされる化合物、（α−７）次式（Ａ−７）
【化１２】
2002097467.tif 000012
〔式中、Ｅ19、Ｅ20およびＥ21は互いに独立して次式（ａ−ＩＩＩ）
【化１３】
2002097467.tif 000013
（式中、Ｅ22はＥ1の意味の一つを有する。）で表わされる基を表わす。〕で表わされる
化合物、（α−８）次式（Ａ−８）
【化１４】
2002097467.tif 000014
（式中、基Ｅ23は互いに独立してＥ1の意味の一つを有し、そしてＥ24は水素原子、炭素
原子数１ないし１２のアルキル基または炭素原子数１ないし１２のアルコキシ基を表わす。）で表わされる化合物、（α−９）次式（Ａ−９）
【化１５】
2002097467.tif 000015
〔式中、ｍ2は１、２または３であり、Ｅ25はＥ1の意味の一つを有し、そしてｍ2が１で
ある場合、Ｅ26は基
【化１６】
2002097467.tif 000016
を表わし、ｍ2が２である場合、Ｅ26は炭素原子数２ないし２２のアルキレン基を表わし
、そしてｍ2が３である場合、Ｅ26は次式（ａ−ＩＶ）
【化１７】
2002097467.tif 000017
（式中、基Ｅ27は互いに独立して炭素原子数２ないし１２のアルキレン基を表わし、そして基Ｅ28は互いに独立して炭素原子数１ないし１２のアルキル基または炭素原子数５ないし１２のシクロアルキル基を表わす。）で表わされる基を表わす。〕で表わされる化合物、（α−１０）次式（Ａ−１０）
【化１８】
2002097467.tif 000018
（式中、基Ｅ29は互いに独立してＥ1の意味の一つを有し、そしてＥ30は炭素原子数２な
いし２２のアルキレン基、炭素原子数５ないし７のシクロアルキレン基、炭素原子数１ないし４のアルキレンジ（炭素原子数５ないし７のシクロアルキレン）基、フェニレン基またはフェニレンジ（炭素原子数１ないし４のアルキレン）基を表わす。）で表わされる化合物、（β−１）次式（Ｂ−１）
【化１９】
2002097467.tif 000019
（式中、Ｒ1、Ｒ3、Ｒ4およびＲ5は互いに独立して水素原子、炭素原子数１ないし１２のアルキル基、炭素原子数５ないし１２のシクロアルキル基、炭素原子数１ないし４のアルキル置換炭素原子数５ないし１２のシクロアルキル基、フェニル基、−ＯＨおよび／または炭素原子数１ないし１０のアルキル基により置換されたフェニル基；炭素原子数７ないし９のフェニルアルキル基、フェニル基上で−ＯＨおよび／または炭素原子数１ないし１０のアルキル基により置換された炭素原子数７ないし９のフェニルアルキル基；あるいは次式（ｂ−Ｉ）
【化２０】
2002097467.tif 000020
で表わされる基を表わし、Ｒ2は炭素原子数２ないし１８のアルキレン基、炭素原子数５
ないし７のシクロアルキレン基または炭素原子数１ないし４のアルキレンジ（炭素原子数５ないし７のシクロアルキレン）基を表すか、あるいは基Ｒ1、Ｒ2およびＲ3はそれらが
結合している窒素原子と一緒になって５員ないし１０員複素環を形成するか、あるいはＲ4およびＲ5はそれらが結合している窒素原子と一緒になって５員ないし１０員複素環を形成し、Ｒ6は水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の、またはフェニル基上で炭素原子数１ないし４のアルキル基１、２もしくは３個により置換された炭素原子数７ないし９のフェニルアルキル基；あるいは炭素原子数１ないし８のアシル基を表わし、そしてｂ1は２
ないし５０の数であるが、但し、基Ｒ1、Ｒ3、Ｒ4およびＲ5の少なくとも１個は式（ｂ−Ｉ）を表わす。）で表わされる化合物、（β−２）次式（Ｂ−２）
【化２１】
2002097467.tif 000021
〔式中、Ｒ7およびＲ11は互いに独立して水素原子または炭素原子数１ないし１２のアル
キル基を表わし、Ｒ8、Ｒ9およびＲ10は互いに独立して炭素原子数２ないし１０のアルキレン基を表わし、そしてＸ1、Ｘ2、Ｘ3、Ｘ4、Ｘ5、Ｘ6、Ｘ7およびＸ8は互いに独立して次式（ｂ−ＩＩ）
【化２２】
2002097467.tif 000022
（式中、Ｒ12は水素原子、炭素原子数１ないし１２のアルキル基、炭素原子数５ないし１２のシクロアルキル基、炭素原子数１ないし４のアルキル置換炭素原子数５ないし１２のシクロアルキル基、フェニル基、−ＯＨおよび／または炭素原子数１ないし１０のアルキル置換フェニル基、炭素原子数７ないし９のフェニルアルキル基、フェニル基上で−ＯＨおよび／または炭素原子数１ないし１０のアルキル基により置換された炭素原子数７ないし９のフェニルアルキル基；あるいは上記で定義された式（ｂ−Ｉ）で表わされる基を表わし、そしてＲ13はＲ6の意味の一つを有する。）で表わされる基を表わす。〕で表わさ
れる化合物、（β−３）次式（Ｂ−３）
【化２３】
2002097467.tif 000023
（式中、Ｒ14は炭素原子数１ないし１０のアルキル基、炭素原子数５ないし１２のシクロアルキル基、炭素原子数１ないし４のアルキル置換炭素原子数５ないし１２のシクロアルキル基、フェニル基または炭素原子数１ないし１０のアルキル置換フェニル基を表わし、Ｒ15は炭素原子数３ないし１０のアルキレン基を表わし、Ｒ16はＲ6の意味の一つを有し
、そしてｂ2は２ないし５０の数である。）で表わされる化合物、（β−４）次式（Ｂ−
４）
【化２４】
2002097467.tif 000024
〔式中、Ｒ17およびＲ21は互いに独立して直接結合または−Ｎ（Ｘ9）−ＣＯ−Ｘ10−Ｃ
Ｏ−Ｎ（Ｘ11）−基（式中、Ｘ9およびＸ11は互いに独立して水素原子、炭素原子数１な
いし８アルキル基、炭素原子数５ないし１２のシクロアルキル基、フェニル基、炭素原子数７ないし９のフェニルアルキル基または式（ｂ−Ｉ）で表される基を表し、Ｘ10は直接結合または炭素原子数１ないし４のアルキレン基を表わす。）を表わし、Ｒ18はＲ6の意
味の一つを有し、Ｒ19、Ｒ20、Ｒ23およびＲ24は互いに独立して水素原子、炭素原子数１ないし３０のアルキル基、炭素原子数５ないし１２のシクロアルキル基またはフェニル基を表わし、Ｒ22は水素原子、炭素原子数１ないし３０のアルキル基、炭素原子数５ないし１２のシクロアルキル基、フェニル基、炭素原子数７ないし９のフェニルアルキル基または式（ｂ−Ｉ）で表わされる基を表わし、そしてｂ3は１ないし５０の数である。〕で表
わされる化合物、（β−５）次式（Ｂ−５）
【化２５】
2002097467.tif 000025
（式中、Ｒ25、Ｒ26、Ｒ27、Ｒ28およびＲ29は互いに独立して直接結合または炭素原子数１ないし１０のアルキレン基を表わし、Ｒ30はＲ6の意味の一つを有し、そしてｂ4は１ないし５０の数である。）で表わされる化合物、（β−６）次式（Ｂ−６−１）
【化２６】
2002097467.tif 000026
（式中、ｂ'5、ｂ''5およびｂ'''5は互いに独立して２ないし１２の数である。）で表わ
されるポリアミンと塩化シアヌルとの反応により得られる生成物を次式（Ｂ−６−２）
【化２７】
2002097467.tif 000027
（式中、Ｒ31は水素原子、炭素原子数１ないし１２のアルキル基、炭素原子数５ないし１２のシクロアルキル基、フェニル基または炭素原子数７ないし９のフェニルアルキル基を表わし、そしてＲ32はＲ6の意味の一つを有する。）で表わされる化合物と反応させるこ
とにより得られる生成物（Ｂ−６）、（β−７）次式（Ｂ−７）
【化２８】
2002097467.tif 000028
（式中、Ａ1は水素原子または炭素原子数１ないし４のアルキル基を表わし、Ａ2は直接結合または炭素原子数１ないし１０のアルキレン基を表わし、そしてｎ1は２ないし５０の
数である。）で表わされる化合物、（β−８）次式（Ｂ−８−ａ）および（Ｂ−８−ｂ）
【化２９】
2002097467.tif 000029
（式中、ｎ2およびｎ*2は２ないし５０の数である。）で表わされる化合物の少なくとも
一種、（β−９）次式（Ｂ−９）
【化３０】
2002097467.tif 000030
（式中、Ａ3およびＡ4は互いに独立して水素原子または炭素原子数１ないし８のアルキル基を表わすか、またはＡ3およびＡ4は一緒になって炭素原子数２ないし１４のアルキレン基を形成し、そして変数ｎ3は互いに独立して１ないし５０の数である。）で表わされる
化合物、ならびに（β−１０）次式（Ｂ−１０）
【化３１】
2002097467.tif 000031
（式中、ｎ4は２ないし５０の数であり、Ａ5は水素原子または炭素原子数１ないし４のアルキル基を表わし、基Ａ6およびＡ7は互いに独立して炭素原子数１ないし４のアルキル基または式（ｂ−Ｉ）を表わすが、但し、基Ａ7の少なくとも５０％は式（ｂ−Ｉ）で表わ
される基を表わす。）で表わされる化合物からなる群から選択される請求項１記載の安定剤混合物。
【請求項３】  成分（Ｉ）の二種の異なる立体障害性アミン化合物の一方が（α−１）、（α−２）、（α−３）、（α−４）、（α−５）、（α−６）、（α−７）、（α−８）、（α−９）および（α−１０）類からなる群から選択され、そして成分（Ｉ）の二種の異なる立体障害性アミン化合物のもう一方が（β−１）、（β−２）、（β−３）、（β−４）、（β−５）、（β−６）、（β−７）、（β−８）、（β−９）および（β−１０）類からなる群から選択される請求項２記載の安定剤混合物。
【請求項４】  成分（Ｉ）の二種の異なる立体障害性アミン化合物が異なる類から選択される請求項２記載の安定剤混合物。
【請求項５】  成分（Ｉ）の二種の異なる立体障害性アミン化合物が、次式（Ａ−１−ａ）、（Ａ−１−ｂ）、（Ａ−１−ｃ）および（Ａ−１−ｄ）
【化３２】
2002097467.tif 000032
（式中、Ｅ1は水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の、またはフェニル基上で炭素原子数１ないし４のアルキル基１、２または３個により置換された炭素原子数７ないし９のフェニルアルキル基；あるいは炭素原子数１ないし８のアシル基を表わす。）で表わされる化合物、次式（Ａ−２−ａ）
【化３３】
2002097467.tif 000033
〔式中、基Ｅ7の２個は−ＣＯＯ−Ｃ13Ｈ27を表わし、そして基Ｅ7の２個は次式
【化３４】
2002097467.tif 000034
（式中、Ｅ8はＥ1の意味の一つを有する。）で表わされる基を表わす。〕で表わされる化合物、次式（Ａ−３−ａ）および（Ａ−３−ｂ）
【化３５】
2002097467.tif 000035
（式中、Ｅ12はＥ1の意味の一つを有する。）で表わされる化合物、次式（Ａ−４−ａ）
および（Ａ−４−ｂ）
【化３６】
2002097467.tif 000036
（式中、Ｅ13はＥ1の意味の一つを有する。）で表わされる化合物、次式（Ａ−５）
【化３７】
2002097467.tif 000037
（式中、Ｅ16はＥ1の意味の一つを有する。）で表わされる化合物、次式（Ａ−６−ａ）
【化３８】
2002097467.tif 000038
（式中、Ｅ18はＥ1の意味の一つを有する。）で表わされる化合物、次式（Ａ−７）
【化３９】
2002097467.tif 000039
〔式中、Ｅ19、Ｅ20およびＥ21は互いに独立して次式（ａ−ＩＩＩ）
【化４０】
2002097467.tif 000040
（式中、Ｅ22はＥ1の意味の一つを有する。）で表わされる基を表わす。〕で表わされる
化合物、次式（Ａ−８−ａ）
【化４１】
2002097467.tif 000041
（式中、Ｅ23はＥ1の意味の一つを有する。）で表わされる化合物、次式（Ａ−９−ａ）
、（Ａ−９−b）および（Ａ−９−ｃ）
【化４２】
2002097467.tif 000042
（式中、Ｅ25はＥ1の意味の一つを有する。）で表わされる化合物、次式（Ａ−１０−ａ
）
【化４３】
2002097467.tif 000043
（式中、Ｅ29はＥ1の意味の一つを有する。）で表わされる化合物、次式（Ｂ−１−ａ）
、（Ｂ−１−ｂ）、（Ｂ−１−ｃ）および（Ｂ−１−ｄ）
【化４４】
2002097467.tif 000044
（式中、ｂ1は２ないし２０の数であり、そしてＲ6は水素原子、炭素原子数１ないし８のアルキル基、Ｏ・、−ＯＨ、−ＣＨ2ＣＮ、炭素原子数１ないし１８のアルコキシ基、炭
素原子数５ないし１２のシクロアルコキシ基、炭素原子数３ないし６のアルケニル基、未置換の、またはフェニル基上で炭素原子数１ないし４のアルキル基１、２もしくは３個に
より置換された炭素原子数７ないし９のフェニルアルキル基；あるいは炭素原子数１ないし８のアシル基を表わす。）で表わされる化合物、次式（Ｂ−２−ａ）
【化４５】
2002097467.tif 000045
（式中、Ｒ13はＲ6の意味の一つを有する。）で表わされる化合物、次式（Ｂ−３−ａ）
【化４６】
2002097467.tif 000046
（式中、ｂ2は２ないし２０の数であり、そしてＲ16はＲ6の意味の一つを有する。）で表わされる化合物、次式（Ｂ−４−ａ）、（Ｂ−４−ｂ）および（Ｂ−４−ｃ）
【化４７】
2002097467.tif 000047
（式中、ｂ3は１ないし２０の数であり、そしてＲ18はＲ6の意味の一つを有する。）で表わされる化合物、次式（Ｂ−５−ａ）
【化４８】
2002097467.tif 000048
（式中、ｂ4は１ないし２０の数であり、そしてＲ30はＲ6の意味の一つを有する。）で表わされる化合物、次式（Ｂ−６−１−ａ）
【化４９】
2002097467.tif 000049
で表わされるポリアミンと塩化シアヌルとの反応により得られる生成物を次式（Ｂ−６−２−ａ）
【化５０】
2002097467.tif 000050
（式中、Ｒ32はＲ6の意味の一つを有する。）で表わされる化合物と反応させることによ
り得られる生成物（Ｂ−６−ａ）、次式（Ｂ−７−ａ）
【化５１】
2002097467.tif 000051
（式中、ｎ1は２ないし２０の数である。）で表わされる化合物、次式（Ｂ−８−ａ）お
よび（Ｂ−８−ｂ）
【化５２】
2002097467.tif 000052
（式中、ｎ2およびｎ2*は２ないし２０の数である。）で表わされる化合物、次式（Ｂ−
９−ａ）
【化５３】
2002097467.tif 000053
（式中、変数ｎ3は互いに独立して１ないし２０の数である。）で表わされる化合物、な
らびに次式（Ｂ−１０−ａ）
【化５４】
2002097467.tif 000054
〔式中、ｎ4は２ないし２０の数であり、そして基Ａ7の少なくとも５０％は次式（ｂ−Ｉ）
【化５５】
2002097467.tif 000055
（式中、Ｒ6は水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の、またはフェニル基上で炭素原子数１ないし４のアルキル基１、２もしくは３個により置換された炭素原子数７ないし９のフェニルアルキル基；あるいは炭素原子数１ないし８のアシル基を表わす。）で表わされる基を表わし、そして残りの基Ａ7はエチル基を表わす。〕で表わされる化合物からなる
群から選択される請求項１記載の安定剤混合物。
【請求項６】  成分（Ｉ）の二種の異なる立体障害性アミン化合物が１）式（Ａ−１−ｂ）（式中、Ｅ1は水素原子を表わす。）で表わされる化合物、および式（Ｂ−１−ａ
）（式中、Ｒ6が水素原子を表わす。）で表わされる化合物、２）式（Ｂ−１−ａ）（式
中、Ｒ6が水素原子を表わす。）で表わされる化合物、および式（Ｂ−７−ａ）で表わさ
れる化合物、または３）式（Ｂ−２−ａ）（式中、Ｒ13がメチル基を表わす。）で表わされる化合物、および式（Ｂ−７−ａ）で表わされる化合物である請求項５記載の安定剤混合物。
【請求項７】  成分（ＩＩ）の化合物が、カルボン酸マグネシウム、カルボン酸亜鉛、酸化マグネシウム、酸化亜鉛、水酸化マグネシウム、水酸化亜鉛、炭酸マグネシウムお
よび炭酸亜鉛からなる群から選択される請求項１記載の安定剤組成物。
【請求項８】  更なる成分として、（Ｘ−１）顔料、または（Ｘ−２）紫外線吸収剤、または（Ｘ−３）顔料および紫外線吸収剤を付加的に含む請求項１記載の安定剤混合物。
【請求項９】  更なる成分として、（ＸＸ）カルシウムの有機塩、カルシウムの無機塩、酸化カルシウムまたは水酸化カルシウムを付加的に含む請求項１記載の安定剤混合物。
【請求項１０】  光、熱または酸化により誘導される分解を受け易い有機材料および請求項１記載の安定剤混合物からなる組成物。
【請求項１１】  次式（Ｂ−１）
【化５６】
2002097467.tif 000056
（式中、Ｒ1、Ｒ3、Ｒ4およびＲ5は互いに独立して水素原子、炭素原子数１ないし１２のアルキル基、炭素原子数５ないし１２のシクロアルキル基、炭素原子数１ないし４のアルキル置換炭素原子数５ないし１２のシクロアルキル基、フェニル基、−ＯＨおよび／または炭素原子数１ないし１０のアルキル基により置換されたフェニル基；炭素原子数７ないし９のフェニルアルキル基、フェニル基上で−ＯＨおよび／または炭素原子数１ないし１０のアルキル基により置換された炭素原子数７ないし９のフェニルアルキル基；あるいは次式（ｂ−Ｉ）
【化５７】
2002097467.tif 000057
で表わされる基を表わし、Ｒ2は炭素原子数２ないし１８のアルキレン基、炭素原子数５
ないし７のシクロアルキレン基または炭素原子数１ないし４のアルキレンジ（炭素原子数５ないし７のシクロアルキレン）基を表すか、あるいは基Ｒ1、Ｒ2およびＲ3はそれらが
結合している窒素原子と一緒になって５員ないし１０員複素環を形成するか、あるいはＲ4およびＲ5はそれらが結合している窒素原子と一緒になって５員ないし１０員複素環を形成し、Ｒ6は水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の、またはフェニル基上で炭素原子数１ないし４のアルキル基１、２もしくは３個により置換された炭素原子数７ないし９のフェニルアルキル基；あるいは炭素原子数１ないし８のアシル基を表わし、そしてｂ1は２
ないし５０の数であるが、但し、基Ｒ1、Ｒ3、Ｒ4およびＲ5の少なくとも１個は式（ｂ−Ｉ）を表わす。）で表わされる化合物、次式（Ｂ−７）
【化５８】
2002097467.tif 000058
（式中、Ａ1は水素原子または炭素原子数１ないし４のアルキル基を表わし、Ａ2は直接結合または炭素原子数１ないし１０のアルキレン基を表わし、そしてｎ1は２ないし５０の
数である。）で表わされる化合物、ならびにカルボン酸亜鉛を含むポリプロピレン。